(57)【要約】      （修正有）【課題】従来のメーカー側主導のラフテレーンクレーンは、二つのウインチ仕様が主流のため、非常に利用しづらいという課題がある。【解決手段】リーダ４３のトップ部４２に第一８ａ及び第二８ｂの二枚のシーブを隣接並設し、その下部のフレーム１の一方側には第一のシーブ８ａに掛けられ、基端をウインチに取り付けられたワイヤロープ１６を掛け回す二以上のガイドシーブ１３，１４を固設し、フレーム１の他方側には第二のシーブ８ａに掛けられ、基端をウインチに取り付けられたワイヤロープ２１を掛け回す二以上のガイドシーブ１９，２０を固設し、そのガイドシーブ１９，２０の下方に配置された直交ガイドシーブ２４と、その直交ガイドシーブ２４から上方へのワイヤロープが掛け回される二以上のガイドシーブ３０，３１を取り付け、その基端を軸支された首振り部材２６とから構成する。【選択図】図１
2008082134.tif 000002
【特許請求の範囲】
【請求項１】
下方にリーダを備え、上部に回転板を備えたフレームを有し、前記回転板の上部には台座を介して一対の支持壁板を相対向して備え、その支持壁板に支持軸を架設し、その支持軸に第一及び第二の二枚のシーブを隣接並設し、前記したフレームの一方側には第一のシーブに掛けられ、基端をウインチに取り付けられたワイヤロープを掛け回す二以上のガイドシーブを固設し、フレームの他方側には第二のシーブに掛けられ、基端をウインチに取り付けられたワイヤロープを掛け回す二以上のガイドシーブを固設し、そのガイドシーブの下方に直交配置された直交ガイドシーブと、その直交ガイドシーブから上方へ回されたワイヤロープが掛け回される二以上のガイドシーブを取り付け、その基端を軸支された首振り部材とからなることを特徴とする杭打ち装置におけるリーダのトップ部機構。
【請求項２】
前記した首振り部材及び回転板にはロックのためのストッパ機構が設けられていることを特徴とする請求項１に記載の杭打ち装置におけるリーダのトップ部機構。
【請求項３】
前記した回転板は第二のシーブの内輪奥位置を芯位置として回転することを特徴とする請求項１または請求項２に記載の杭打ち装置におけるリーダのトップ部機構。
【発明の詳細な説明】
【技術分野】
【０００１】
本発明は杭打ち装置におけるリーダのトップ部機構に関し、特にホイール走行するラフテレーンクレーンあるいはオールテレーンクレーンの伸縮ブームの先端に取り付けられるリーダのトップ部機構の改良に関する。
【背景技術】
【０００２】
従来の杭打ち装置、それもラフテレーンクレーンを用いた杭打ち装置は図３、図４に示すように構成されている。即ち、図４として示すのはラフテレーンクレーンＡの全体図であってホイール走行し、この走行の運転とクレーンの作動は全て運転席で実行できるもので、クレーンの操作は全てが油圧系を用いている。このラフテレーンクレーンＡの伸縮ブーム４０の先端には連結部材４１を介してリーダ４３のトップ部４２が取り付け軸４２ａによって連結固定されている。
【０００３】
リーダ４３はプレートとそのプレートの各コーナーにおける円形ポールとから構成される四角柱状のものとなっており、懸垂タイプとされ、トップ部４２の途中にある回転機構によって回転可能なものとされている。
【０００４】
また、トップ部４２には特にこの従来例では図示しないが支持軸が横架されており、その支持軸に三つのシーブが相隣接して取り付けられ、その各々のシーブに、各々独立したワイヤロープが掛けられる。この各々のワイヤロープは上方に各々独立したウインチにその基端が止着されたものとなっている。
【０００５】
その各々のワイヤロープは左右一方側のものがリーダ４３の円形ポールに取り付けられ、その円形ポールに沿って上下動するオーガ４４を吊持し、他方のものは逆側の円形ポールに取り付けられたドロップハンマ４５の上方に配置され、これを叩打するモンケン４６を吊持し、前記したシーブのうち中央に掛けられたワイヤロープは杭吊り込み用として使用されるものとされている。
【０００６】
即ち、従来の杭打ち装置にあっては三つのシーブとそのシーブに掛けられる三本のワイヤロープと、その各々のワイヤロープを巻き上げ、あるいは解放する三つの独立したウインチの存在が必要なものとされていた。また、現況でクレーンメーカーはウインチの数を二つとしたものを主流として製造しており、この二つのウインチ仕様のラフテレーンクレーンにあっては三本のワイヤロープを使用する杭打ち装置の実行は不可能なものとなってしまっている。
【特許文献１】出願人は本発明について先行する技術文献を調査したが、格別に関連あるいは類似すると思われる文献を発見できなかった。
【発明の開示】
【発明が解決しようとする課題】
【０００７】
本発明が解決しようとする問題点は、従来の杭打ち装置のリーダのトップ部機構にあってはシーブが三つ隣接され、その各々のシーブに独立したワイヤロープが掛けられて各々別途の作業を各々独立した三つのウインチで行なうこととしているもので、この機構は複雑で製造が面倒となりコスト高なものとなっている。加えて、各々のワイヤロープが独自の作業を行なうため、作業者にとっての危険性も高いものとなっていたという点であり、加えて、ラフテレーンクレーンにあって、二つのウインチ仕様がメーカー側の主流となっている現在、三本のワイヤロープを用いる杭打ち装置は実行が不可能となってしまうという点である。
【課題を解決するための手段】
【０００８】
上記した問題点を解決するために、本発明に係る杭打ち装置におけるリーダのトップ部機構は下方にリーダを備え、上部に回転板を備えたフレームを有し、前記回転板の上部には台座を介して一対の支持壁板を相対向して備え、その支持壁板に支持軸を架設し、その支持軸に第一及び第二の二枚のシーブを隣接並設し、前記したフレームの一方側には第一のシーブに掛けられ、基端をウインチに取り付けられたワイヤロープを掛け回す二以上のガイドシーブを固設し、フレームの他方側には第二のシーブに掛けられ、基端をウインチに取り付けられたワイヤロープを掛け回す二以上のガイドシーブを固設し、そのガイドシーブの下方に直交配置された直交ガイドシーブと、その直交ガイドシーブから上方へ回されたワイヤロープが掛け回される二以上のガイドシーブを取り付け、その基端を軸支された首振り部材とからなることを特徴としている。
【０００９】
また、本発明に係る杭打ち装置におけるリーダのトップ部機構は前記した首振り部材及び回転板にはロックのためのストッパ機構が設けられていることを特徴とし、前記した回転板は第二のシーブの内輪奥位置を芯位置として回転することを特徴としている。
【発明の効果】
【００１０】
本発明に係る杭打ち装置におけるリーダのトップ部機構は上記の構成となっている。そのため、支持壁板間のシーブは二枚のみとされながら、その一方のシーブに掛けられたワイヤロープは首振り部材に設けられたガイドシーブ群へ導かれ、その首振り部材が首振り作動するため、他方のシーブに掛けられたワイヤロープの作業位置を変更することなく、従来の中央シーブの作業位置をはじめとする位置にもワイヤロープを位置変換することができることとなる。即ち、一本のワイヤロープ及びウインチを二作業に兼用して用いることができることとなるもので、二つのウインチ仕様とした主流のラフテレーンクレーンであっても十分に対応することができることとなる。
【００１１】
このため、この杭打ち装置におけるリーダのトップ部機構は部品点数が少なくなり、その分、製造も容易で故障も少なく、メンテナンスも楽なものとされ、コストも大きくダウンさせることができる。しかも、作業するためのワイヤロープを減少させることができるので、作業時の危険性も少なくすることができるものとなっている。
【発明を実施するための最良の形態】
【００１２】
図１、図２として示す実施例のように構成することで実現した。
【実施例１】
【００１３】
次に、本発明の好ましい実施の一例を図１及び図２を参照して説明する。図１は本発明を実施した杭打ち装置におけるリーダのトップ部機構を示す正面図、図２は同じく側面図である。
【００１４】
これらの図にあって１はフレームを示しており、このフレーム１の下方にはリーダ４３が設けられ、このフレーム１の上部には回転板２が回転軸３で回転自在に設けられ、フレーム１及びリーダ４３を回転可能としており、この回転軸３を介して支持されている台座４が設けられている。
【００１５】
この台座４上には一対の支持壁板５、５が相対向して立設され、その支持壁板５、５の基部外方は補強部材５ａ、５ａによって補強されたものとなっている。この支持壁板５、５は通常状態で正面から見た左右に位置され、その支持壁板５、５間の前後には上縁を弧状に切り欠いたカバー６、６が備えられたものとなっている。尚、５ｂ、５ｂは前記した取り付け軸４２ａが挿通される挿通孔である。
【００１６】
また、前記した支持壁板５、５間のやや前方寄りの位置には支持軸７が架設されている。この支持軸７には第一及び第二のシーブ８ａ、８ｂが隣接して並設されており、このうち第二のシーブ８ｂの内輪中心が支持軸７の中心と対応しており、この第二のシーブ８ｂの内輪の奥側位置が回転板２の回転軸３の中心と対応する。即ち、回転板２の回転中心となる芯位置となっている。
【００１７】
一方、前記したフレーム１の正面から見た右側には上方に短尺ブラケット９、９が突設され、その下方には長尺ブラケット１０、１０が突設されており、その各ブラケット９、９及び１０、１０の先端に支持軸１１、１２が架設され、その各支持軸１１、１２にはガイドシーブ１３、１４が取り付けられている。尚、１５はこのガイドシーブ１３、１４を覆うカバーケースであり、このカバーケース１５は下方が開口されたものとなっている。
【００１８】
このガイドシーブ１３、１４には前記した第一のシーブ８ａの内輪後方に掛けられ、一端をウインチに止着したワイヤロープ１６が掛けられる。この掛け方は図１にあってガイドシーブ１３の内輪左側に接しさせ、それをガイドシーブ１４の内輪上側から右側にかけて回してあるもので、このワイヤロープ１６の先端には、前記オーガ４４を取り付けて地表に穴を掘穿する作業を行なうものとしている。
【００１９】
また、前記したフレーム１の略中央の上方位置には前記した支持軸１１、１２と平行方向に支持軸１７が架設され、その支持軸１７の下方でやや左寄りの位置にも支持軸１８が架設されている。この支持軸１７、１８には各々ガイドシーブ１９、２０が取り付けられている。
【００２０】
このガイドシーブ１７、２０には第二のシーブ８ｂに掛けられ、一端を前記したものとは別個のウインチに止着したワイヤロープ２１が掛けられる。このワイヤロープ２１は図１にあってガイドシーブ１９の内輪右側を通り、ガイドシーブ２０の内輪上側から左側にかけて回される。
【００２１】
さらに、フレーム１の下方で左寄り奥方には支持壁板２２、２２が設けられており、この支持壁板２２、２２間に前記した支持軸１７、１８と直交方向配置となる支持軸２３が架設され、その支持軸２３に直交ガイドシーブ２４が取り付けられている。前記したワイヤロープ２１はガイドシーブ２０の左側から、この直交ガイドシーブ２４の内輪前側へ導かれ、その直交ガイドシーブ２４に沿って奥側から上方へと導かれるものとなっている。
【００２２】
そして、フレーム１の左寄りで前記した直交ガイドシーブ２４の上方には上下方向で一対の支持ブラケット２５、２５が設けられ、この支持ブラケット２５、２５間に水平方向に長尺とされた首振り部材２６の基端が枢動軸２７を介して首振り枢動可能に設けられている。尚、この首振り部材２６はボックスケース状に形成され、その遊端の前面下方が開口された構成とされている。２６ａはワイヤロープ２１の横振れ防止部である。
【００２３】
前記した首振り部材２６の側壁には同一高さで二本の支持軸２８、２９が架設されているもので、この支持軸２８、２９には各々ガイドシーブ３０、３１が取り付けられている。前記したワイヤロープ２１はガイドシーブ２４を通り、図１で右側となるガイドシーブ３０の右側から上方へ回され、ガイドシーブ３１の上方を通ってその左側から下方へと導かれるものとなり、そのワイヤロープ２１の先端には前記したモンケン４６をはじめ、杭やシートパイルの圧入機等が取り付けられることとなる。
【００２４】
前記した首振り部材２６は少なくとも１８０度以上の首振りを可能としており、必要に応じてその位置を変更し、モンケン等のほか、杭等の資材を移動させる吊り込み作業も行なうこともできるものとなっている。
【００２５】
また、図中３２は首振り部材２６を位置決めするロックピンで下端のリング部にロープ等を通し、引くことでそのロックを解除し、首振り動作をフリーとできる。さらに、３３は回転板２のロックピンであり、ロックピン３２と同様にして使用される。
【産業上の利用可能性】
【００２６】
本実施例に係る杭打ち装置におけるリーダのトップ部機構は上記のように構成されている。この実施例ではオーガやモンケン等の穴掘り、杭打ち作業用としての使用目的を述べているが、この杭打ち作業にこだわるものではなく、広く荷重物を空間移動させることや、種々の機械の作業実行を行なうことに対し、ホイール走行するクレーンを用い応用実施をすることができることは勿論のこととなっており、リーダの長さ等も目的に応じて自在に変更できる。
【図面の簡単な説明】
【００２７】
【図１】発明を実施した杭打ち装置におけるリーダのトップ部機構を示す正面図である。
【図２】側面図である。
【図３】従来の杭打ち装置を示す図である。
【図４】ラフテレーンクレーンを示す図である。
【符号の説明】
【００２８】
１    フレーム
２    回転板
３    回転軸
４    台座
５    支持壁板
５ａ  補強部材
６    カバー
７    支持軸
８ａ  第一のシーブ
８ｂ  第二のシーブ
９    短尺ブラケット
１０  長尺ブラケット
１１  支持軸
１２  支持軸
１３  ガイドシーブ
１４  ガイドシーブ
１５  カバーケース
１６  ワイヤロープ
１７  支持軸
１８  支持軸
１９  ガイドシーブ
２０  ガイドシーブ
２１  ワイヤロープ
２２  支持壁板
２３  支持軸
２４  直交ガイドシーブ
２５  支持ブラケット
２６  首振り部材
２７  回転軸
２８  支持軸
２９  支持軸
３０  ガイドシーブ
３１  ガイドシーブ
３２  ロックピン
３３  ロックピン
４２  トップ部
４３  リーダ
Ａ    ラフテレーンクレーン
【図１】
2008082134.tif 000003
【図２】
2008082134.tif 000004
【図３】
2008082134.tif 000005
【図４】
2008082134.tif 000006